(57)【要約】【課題】  一時的に水滴のかかるところや、長時間にわたり水がかかるような環境で使用したり、水中に入ったりして使用するインナータイプイヤホンを、完全に防水状態でしかも音響特性を何ら損なうことなく使用できるようにした防水イヤホンを提供すること。【解決手段】  外耳内に挿入する柔軟なイヤホンパッドを装着したインナータイプイヤホンであって、イヤホン本体はスピーカー部及び接続コード挿入部を水密にカバーすると共に、イヤホンパッドが装着された出力音道部には極めて撥水性の高い微細多孔質性フィルムを装着し、音響特性を損なうことなく防水性能を確保するように構成せしめた。  また、出力音道部の内方端部には前記微細多孔質性フィルムが配設されると共に外方端部には防塵部材が一体に配設されイヤホン本体に着脱可能に装着せしめた。【選択図】図１
2007104616.tif 000002
【特許請求の範囲】
【請求項１】
外耳道に挿入する柔軟なイヤホンパッドを装着したインナータイプイヤホンにおいて、イヤホン本体はスピーカー部及び接続コード挿入部を水密にカバーすると共に、前記イヤホンパッドが装着される出力音道部には極めて撥水性の高い微細多孔質性フィルムを装着し、音響特性を損なうことなく防水性能を確保するように構成されていることを特徴とする防水イヤホン。
【請求項２】
前記出力音道部の内方端部には前記微細多孔質性フィルムが配設されると共に外方端部には防塵部材が一体に配設され、前記イヤホン本体に着脱可能に装着されていることを特徴とする請求項１に記載の防水イヤホン。
【発明の詳細な説明】
【技術分野】
【０００１】  本発明は、防水イヤホン特に出力音道部を外耳道に挿入して使用するインナータイプイヤホンに適用して好適な防水イヤホンに関する。
【背景技術】
【０００２】  近年、電気機器は機能の多様化に加え小型化が進み、カセットテープなどの記録媒体を使用したメカニカル構造のカセットプレーヤに代え、半導体メモリを記録媒体としたハードメモリプレーヤが普及し、音楽プレーヤとして気軽に携帯してどこでも良質の音楽を楽しむことが出来るようになった。【０００３】  特に、音楽好きの者にとっては、良質で音響特性の良いプレーヤ、イヤホンで常に音楽を楽しみながら他のプレイを楽しむということが行われており、例えばスキューバダイバーなどにとっても、水際で楽しんだり、水中を遊泳しながら音楽を聞くなどということも気軽に行えるようになった。
従って、イヤホンを外耳道に挿入したまま水をかぶったり水中に入るため、イヤホンは防水性が要求され、しかも音響特性の良いものが求められている。【０００４】  しかるに、上述したような場合の公知の防水構造のイヤホンとしては、外耳道挿入部の出力音道部に或いは該音道部とスピーカ本体の間に、防水膜としてＰＥＴフィルムや撥水加工を施した布膜を配設したものが知られている。
従って、この場合ＰＥＴフィルムのような膜を介しての音の伝播では、音響特性として感度や周波数特性が損なわれ、音質的には不十分なものとなってしまい、又それを改善する意味で撥水加工を施した布膜を用いた場合では、十分な防水効果が得られないなどの問題があった。
【発明の開示】
【発明が解決しようとする課題】
【０００５】  以上のような公知のイヤホンにあっては、音響特性と防水特性を共に満足するには不十分であるという問題があった。
本発明は、簡単な構成で音響特性が損なわれることなく、十分な防水性を有し、更には防塵部材の汚れなどの対応のため出力音道部の防水ユニットを容易に着脱交換可能にした防水イヤホンを提供することを目的とする。
【課題を解決するための手段】
【０００６】  本発明は、上記目的を達成するために、外耳道に挿入する柔軟なイヤホンパッドを装着したインナータイプイヤホンであって、イヤホン本体はスピーカー部及び接続コードを水密にカバーすると共に、イヤホンパッドが装着される出力音道部には極めて撥水性の高い微細多孔質性フィルムを装着したものである。【０００７】  また、第二の課題解決手段としては、前記出力音道部の内方端部には前記多孔質性フィルムが配設されると共に外方端部には防塵部材が一体に配設され、イヤホン本体に着脱交換可能に装着したものである。【０００８】  上記課題の解決手段によれば、スピーカーからの発信音は伝播ロスが生じたり周波数特性が低下したりすることなく良好な感度や音質で伝播される。
また、防水、防塵ユニットは容易に着脱交換可能なので、汚れなどによる交換が容易である。
【発明の効果】
【０００９】  上述したように本発明の防水イヤホンは、使用中においては第一次的には外耳道挿入部のイヤホンパッドでイヤホンの一応の防水性は得られるが、イヤホンの装着状態によっては外耳道内方への水の進入もあり、そのような場合には水密にカバーされたスピーカー部とイヤホンパッドが装着された出力音道部の部分には、極めて撥水性の高い微細多孔質性フィルムが配設されているので、スピーカー部への水の浸入を防ぐ一方、音の伝播ロス、周波数特性の低下などの音響特性に影響を与えることがない。【００１０】  さらに、微細多孔質性フィルムと防塵部材が一体に配設された防水ユニットは、イヤホン本体に着脱交換可能に配設されているので、耳垢や取り扱い上汚れがついたりした場合の交換や、好みで異なった色のユニットに交換してファッション的に自分に合ったものとすることも容易に可能である。
【発明の実施するための最良の形態】
【００１１】  以下、本発明の実施の一形態を図面に基づいて説明する。
図１は、本発明の一実施形態に係る防水イヤホンを断面とした側断面図である。
図２は、図１の要部の拡大側断面図である。
図３は、第２図の要部の分解斜視図である。
各図において、１はインナータイプイヤホンで、２はスピーカー部の発音体でイヤホンホルダー３に固定されている。４は前ケース、５は後ケースで、イヤホンホルダー３の前後両側に嵌合固定されており、スピーカー部の発音体２を水密にカバーしている。
【００１２】  ４ａは前ケース４の図１において上方向の開口４ｂを形成した出力音道部であり、該出力音道部４ａの端部には開口４ｂに連通した防水ユニット６が水密に着脱可能に嵌合配設されている。出力音道部４ａの前側端部周面には面取部４ｃが形成されている。
【００１３】  ７は微細多孔質性フィルムで、例えば、公知のゴアテックス（登録商標）メンブレンの如き極めて微細で多孔のフィルムを用い、前記防水ユニット６と前記前ケース４の出力音道部４ａ間に密着配設されている。
なお、防水ユニット６は前ケース４への嵌合状態から離脱する際には、出力音道部４ａの周面に面取部４ｃが形成されているので、容易に引っ掛けて離脱できる。
フィルム７は、予め製造上の理由から設けられた保護リング８に周面が固定され、上面が防水ユニット６のホルダー６ａの下面６ｂに接着固定され配設される。
【００１４】  ９は防塵部材で、例えば発泡材からなり、防水ユニット６のホルダー６ａの前方側に固定配設されている。
防塵部材９は、不織布、金属ネット等通気性のあるものであれば良く、発泡材に限定されることはない。
【００１５】  １０はイヤホンパッドで、例えばシリコンゴム等の軟質材からなり、筒状部１０ａに対し環状フランジ１０ｂ，１０ｃが上下にパラボラアンテナ状に下方に向けて一体に形成され、前ケース４の出力音道部４ａの外面に嵌合配設されており、筒状部１０ａの下部の係止部１０ｄが前ケース４の出力音道部４ａの段部に係合して固定されている。該イヤホンパッド１０の環状フランジ１０ｂ，１０ｃの形状はパラボラアンテナ状に限らず、平坦な鍔状であってもよく、枚数も限定されない。
１１は接続コードで、後ケース５からの出口部は水密に配設されている。１２は半田付け部である。
【００１６】  かかる構成の防水イヤホンによれば、多少の水がかかった程度の場合には端部の防塵部材９ではじかれ、イヤホン内部にまで水が浸入することはないが、例えばイヤホンをしたまま水中に入ったり、長時間にわたり水がかかるような環境で使用したような場合には、防塵部材９を介して水はイヤホン内部に浸入する可能性もある。
しかるに、そのような場合には、浸入した水も微細多孔質性フィルム７によってそれ以上の内部への浸入は阻止され、発音体２からなるスピーカー部は完全に水から守られ発信音に何ら支障をきたすことがない。
【００１７】  かくして、スピーカー部からの発信音は出力音道部４ａの開口４ｂを介して微細多孔質性フィルム７から外方にそのまま伝えられ、伝播ロスを生じることなく、周波数特性が損なわれるということもなく、イヤホン内部の発音体２からの再生音は良好な音響特性のままイヤホン外部に伝達される。
この際、外耳内に挿入したイヤホンは、イヤホンパッド１０の環状フランジ１０ｂ，１０ｃによって外耳内への水の浸入も阻止するので、耳への水の影響も何ら生じることがない。
【００１８】  尚、本発明による上述した防水構造は、インナータイプイヤホンに適用したものとして説明したが、オープンエアータイプのイヤホンにも勿論適用可能である。
【図面の簡単な説明】
【００１９】
【図１】  本発明の一実施態様を示す防水イヤホンの側断面図
【図２】  図１の要部拡大側断面図
【図３】  図２の要部拡大分解斜視図
【符号の説明】
【００２０】  １    インナータイプイヤホン
２    発音体
３    イヤホンホルダー
４    前ケース
４ａ  出力音道部
４ｂ  開口
５    後ケース
６    防水ユニット
６ａ  ホルダー
７    微細多孔質性フィルム
８    保護リング
９    防麈部材
１０    イヤホンパッド
１０ａ  筒状部
１０ｂ  環状フランジ
１０ｃ  環状フランジ
【図１】
2007104616.tif 000003
【図２】
2007104616.tif 000004
【図３】
2007104616.tif 000005